(57)【要約】  本発明は、マスクパックキットに関し、より詳細には、別に包装された皮膚改善剤を化粧シートに含浸させる際に皮膚改善剤が化粧シートの全面に均一に分布されるようになっているマスクパックキットに関する。【選択図】  図２
2018515303.tif 000002
【特許請求の範囲】
【請求項１】
化粧シートが収容され、一部に皮膚改善剤を注入できるように注入口が形成されたパウチと、
前記パウチの注入口に皮膚改善剤を注入できるようになっている注入手段と、を含むことを特徴とする、マスクパックキット。
【請求項２】
前記注入口は、前記パウチの側面に形成されることを特徴とする、請求項１に記載のマスクパックキット。
【請求項３】
前記注入口は、前記パウチの側面の中心から縁部までの距離の２／３内に形成されることを特徴とする、請求項２に記載のマスクパックキット。
【請求項４】
前記パウチの注入口が斜めに形成されることを特徴とする、請求項１から３のいずれか１項に記載のマスクパックキット。
【請求項５】
前記注入手段は、注射器であることを特徴とする、請求項１から３のいずれか１項に記載のマスクパックキット。
【請求項６】
前記注入手段は、スポイトであることを特徴とする、請求項１から３のいずれか１項に記載のマスクパックキット。
【請求項７】
前記注入手段は、弾性パウチであることを特徴とする、請求項１から３のいずれか１項に記載のマスクパックキット。
【請求項８】
前記弾性パウチが、前記パウチに紐で連結されることを特徴とする、請求項７に記載のマスクパックキット。
【請求項９】
前記弾性パウチと前記パウチとを連結する紐に結び目がついていることを特徴とする、請求項８に記載のマスクパックキット。
【発明の詳細な説明】
【技術分野】
【０００１】
本発明は、マスクパックキットに関し、より詳細には、別に包装された皮膚改善剤を化粧シートに含浸させる際に皮膚改善剤が化粧シートの全面に均一に分布されるようになっているマスクパックキットに関する。
【背景技術】
【０００２】
現代社会の発展に伴い、女性だけでなく男性も皮膚美容に関心を高めている。特に、皮膚を弾力的且つキレイに維持して皮膚の老化を防止するための関心がますます増加しており、これに合わせて、皮膚改善のための様々なキットが市場に発売されている。
【０００３】
かかる皮膚改善のためのキットのうち、その便宜性からマスクパックが多く発売されている。マスクパックは、化粧シートに栄養剤及び保湿剤が含まれた皮膚改善剤が染み込まれるようにしたものであり、代表的なものとして、顔の皮膚に使用されるマスクパックが挙げられる。
【０００４】
かかるマスクパックは、パウチに収容され販売されており、ユーザがパウチを開封した後、顔に貼り付けて使用する。
【０００５】
すなわち、従来のパウチは、内部に不織布の材質の化粧シートと皮膚改善剤がともに収容され、化粧シートが皮膚改善剤に浸っており、ユーザがパウチを開封してから顔にすぐ使用することになっている。
【０００６】
しかし、かかる従来のパウチを開封して皮膚改善剤に浸った化粧シートを取り出す際、化粧シートが皮膚改善剤に浸っており、化粧シートを顔に貼り付けると、化粧シートから皮膚改善剤が流れ落ち、顔を伝って流れるため、使用上の不都合があった。
【０００７】
かかる不都合から、皮膚改善剤と化粧シートを分割して包装した後、適正量の皮膚改善剤を含ませて使用するマスクパックの一例が、韓国登録特許第１０−１１７６７２３号（以下、「先行技術文献１」とする）に開示されている。
【０００８】
図１は先行技術文献１による従来のマスクパックを示す図である。
【０００９】
図１に図示されているように、従来の前記先行技術文献１によるマスクパックは、皮膚改善剤１を収容するパウチ本体１０と、パウチ本体１０の一側に設けられる補助パウチ本体２０と、補助パウチ本体２０に収容され、パウチ本体１０の皮膚改善剤１に浸る化粧シート３０と、パウチ本体１０に複数のスケール４１が形成されるスケール部４０と、を含む。
【００１０】
ここで、パウチ本体１０の一側には、皮膚改善剤１が排出される排出口１５が形成されており、排出口１５には破裂膜１７が設けられている。
【００１１】
かかるマスクパックを使用するためには、補助パウチ２０を加圧して破裂膜１７を破裂させることで皮膚改善剤がパウチ本体に流れ込み、化粧シート３０が浸ることになっている。
【００１２】
しかし、前記のようなマスクパックは、皮膚改善剤の流入口が一側に偏っており、皮膚改善剤が均一に拡散できないという問題点がある。
【００１３】
さらに、多量の皮膚改善剤を必要とし、マスクパックの中心部分への分布度が劣るため、皮膚改善剤を効果的に顔に塗布できないという問題点がある。
【先行技術文献】
【特許文献】
【００１４】
【特許文献１】韓国登録特許第１０−１１７６７２３号（２０１２年８月１７日登録）
【発明の概要】
【発明が解決しようとする課題】
【００１５】
本発明は、前記のような問題点を解決するために導き出されたものであり、別に包装された皮膚改善剤を化粧シートに含浸させる際に皮膚改善剤が化粧シートの全面に均一に分布されるようになっているマスクパックを提供することを目的とする。
【００１６】
また、皮膚改善剤の濃度が高い必要がある顔の部位に皮膚改善剤がシートに濃厚に含浸されるようになっているマスクパックを提供することを目的とする。
【課題を解決するための手段】
【００１７】
本発明は、化粧シートが収容され、一部に皮膚改善剤を注入できるように注入口が形成されたパウチと、前記パウチの注入口に皮膚改善剤を注入できるようになっている注入手段と、を含むマスクパックキットを提供する。
【００１８】
ここで、前記注入口は、パウチの側面に形成されることが好ましい。
【００１９】
なお、前記注入口は、パウチの側面の中心から縁部までの距離の２／３内に形成されることが好ましい。
【００２０】
また、前記パウチの注入口は斜めに形成されることが好ましい。
【００２１】
なお、前記注入手段は、注射器であることが好ましい。
【００２２】
また、前記注入手段は、スポイトであることが好ましい。
【００２３】
なお、前記注入手段は、弾性パウチであることが好ましい。
【００２４】
また、前記弾性パウチは、前記パウチに紐で連結されることが好ましい。
【００２５】
ここで、前記弾性パウチと前記パウチとを連結する紐に結び目がついていることが好ましい。
【発明の効果】
【００２６】
前記のように、本発明に係るマスクパックキットは、注入口をパウチの任意の個所に設けることができることから、皮膚改善剤を多量に必要とする部分に皮膚改善剤を濃厚に含浸させることができる。
【００２７】
なお、本発明に係るマスクパックキットは、パウチの側面に注入口を形成することで、実際に皮膚改善剤が最も必要となる部分に濃厚に皮膚改善剤を供給することができる。
【００２８】
なお、本発明に係るマスクパックキットは、前記注入口がパウチの側面の中心から縁部までの距離の２／３内に形成されるようにすることで、皮膚改善剤が最も必要となる鼻周りの皮膚改善剤の濃度を向上させることができる。
【００２９】
また、本発明に係るマスクパックキットは、前記パウチの注入口が斜めに形成されることから、注入口を介して流入された皮膚改善剤が化粧シートへ容易に拡散する。
【００３０】
なお、本発明に係るマスクパックキットは、前記注入手段として注射器を備えることで、皮膚改善剤を強制にパウチの内部に注入することができる。
【００３１】
また、本発明に係るマスクパックキットは、注入手段としてスポイトを備えることで、外部の容器から必要な機能を有する皮膚改善剤を取得して使用することができる。
【００３２】
さらに、本発明に係るマスクパックキットは、前記注入手段として弾性パウチを備えることで、弾性パウチを手で加圧し、容易に皮膚改善剤をパウチに注入することができる。
【００３３】
また、本発明に係るマスクパックキットは、弾性パウチが前記パウチに紐で連結されるようにすることで、様々なデコレーションが可能である。
【００３４】
なお、本発明に係るマスクパックキットは、前記弾性パウチと前記パウチとを連結する紐に結び目を付けて販売台にかけて陳列することができる。
【図面の簡単な説明】
【００３５】
【図１】先行技術文献１による従来のマスクパックを示す図である。
【図２】本発明の第１実施例によるマスクパックキットを示す正面図である。
【図３】本発明の第１実施例によるマスクパックキットの注入口を示す側面図である。
【図４】本発明の第２実施例によるマスクパックキットを示す正面図である。
【図５】本発明の第３実施例によるマスクパックキットを示す正面図である。
【発明を実施するための形態】
【００３６】
以下、本発明に係るマスクパックキットの実施例を添付の図面を参照して説明すると、以下のとおりである。
【００３７】
［第１実施例］
図２は本発明の第１実施例によるマスクパックキットを示す正面図であり、図３は本発明の第１実施例によるマスクパックキットの注入口を示す側面図である。
【００３８】
図２〜図３に図示されているように、第１実施例によるマスクパックキットは、化粧シートを収容するパウチ１１０と、前記パウチ１１０に皮膚改善剤を注入するための注入手段１２０と、を含む。
【００３９】
前記パウチ１１０は、内部に空間が形成され、この空間には、化粧シート（図示せず）が収容される。前記パウチ１１０は、化粧シートを外部に取り出して使用しやすくなるように、人が把持した状態でパウチを引き裂くことができる材質で設けられることが好ましい。なお、前記パウチ１１０は、縁部１１２を超音波溶接することができるように合成樹脂材質からなることが好ましい。必要に応じて、前記パウチ１１０の上部には、再利用のためにジッパー（図示せず）のような外部と空気を遮断できる開閉手段を備えてもよいことは言うまでもない。
【００４０】
前記パウチ１１０は、側面に皮膚改善剤を注入するための注入口１１４が形成されている。前記注入口１１４には、開閉を可能にするための蓋１１６が形成される。しかし、必要に応じて、前記パウチ１１０は、使い捨てとして使用が便利になるように、切開して使用できるように備えてもよいことは言うまでもない。
【００４１】
前記注入口１１４は、パウチ１１０の側面の中心から縁部１１２までの距離の２／３内に形成される。したがって、前記注入口１１４を介して皮膚改善剤が供給される場合、中心部位である鼻部分に皮膚改善剤の濃度が高くなる。なお、中心から皮膚改善剤が注入されることから、化粧シートのあらゆるところに均一に皮膚改善剤が拡散する。
【００４２】
ここで、前記注入口１１４は、パウチ１１０の側面に斜めに設けられる。ここで、前記注入口１１４が斜めに形成されることから、皮膚改善剤の注入の際に抵抗が小さくて容易に注入される。なお、前記注入口１１４は、中心方向に向かって下向き斜めに設けられることが好ましい。このように注入口１１４が中心方向に下向き斜めに形成される場合、中心に向かって皮膚改善剤が注入されることから、皮膚改善剤を化粧シートのあらゆるところにさらに均一に含浸させることができる。
【００４３】
なお、本実施例において、前記注入手段１２０は、注射器１２２として設けられる。前記注射器の内部には皮膚改善剤が収容されている。したがって、注射器１２２のピストン１２４を加圧すると、皮膚改善剤が外部に排出される。ここで、注入手段１２０として注射器１２２を使用して皮膚改善剤を注入することから、強い圧力で注入することができる。したがって、注入口１１４から遠く離れている部分まで皮膚改善剤が容易に含浸される。
【００４４】
［第２実施例］
図４は本発明の第２実施例によるマスクパックキットの注入口を示す側面図である。
【００４５】
図４に図示されているように、第２実施例によるマスクパックキットは、化粧シートを収容するパウチ２１０と、前記パウチ２１０に皮膚改善剤を注入するための注入手段２２０と、を含む。
【００４６】
前記パウチ２１０は、内部に空間が形成されており、この空間には化粧シート（図示せず）が収容される。前記パウチ２１０は、化粧シートを外部に取り出して使用しやすくなるように、人が把持した状態でパウチを引き裂くことができる材質で設けられることが好ましい。なお、前記パウチ２１０は、縁部２１２を超音波溶接することができるように合成樹脂材質からなることが好ましい。必要に応じて、前記パウチ２１０の上部には、再利用のためにジッパー（図示せず）のような外部と空気を遮断できる開閉手段を備えてもよいことは言うまでもない。
【００４７】
前記パウチ２１０は、側面に皮膚改善剤を注入するための注入口２１４が形成されている。前記注入口２１４には、開閉を可能にするための蓋２１６が形成される。しかし、必要に応じて、使い捨てとして使用が便利になるように、切開して使用ができるように備えてもよいことは言うまでもない。
【００４８】
前記注入口２１４は、パウチ２１０の側面の中心から縁部２１２までの距離の２／３内に形成される。したがって、前記注入口２１４を介して皮膚改善剤が供給される場合、中心部位である鼻部分に皮膚改善剤の濃度が高くなる。なお、中心から皮膚改善剤が注入されることから、化粧シートのあらゆるところに均一に皮膚改善剤が拡散する。
【００４９】
なお、本実施例において、前記注入手段２２０は、スポイト２２２として設けられる。前記スポイト２２２は、ゴム材質からなる加圧部２２４を押圧し内部に充填された皮膚改善剤を排出する。ここで、必要に応じて、前記スポイト２２２が、他の容器（図示せず）に収容されている他の効果を有する皮膚改善剤を吸い込んで排出し、注入口２１４を介して注入することから、様々な皮膚改善剤を使用できるという効果がある。
【００５０】
［第３実施例］
図５は本発明の第３実施例によるマスクパックキットの注入口を示す側面図である。
【００５１】
図５に図示されているように、第３実施例によるマスクパックキットは、化粧シートを収容するパウチ３１０と、前記パウチ３１０に皮膚改善剤を注入するための注入手段３２０と、を含む。
【００５２】
前記パウチ３１０は、内部に空間が形成され、この空間には、化粧シート（図示せず）が収容される。前記パウチ３１０は、化粧シートを外部に取り出して使用しやすくなるように、人が把持した状態でパウチを引き裂くことができる材質で設けられることが好ましい。なお前記パウチ３１０は、縁部３１２を超音波溶接することができるように合成樹脂材質からなることが好ましい。必要に応じて、前記パウチ３１０の上部に、再利用のためにジッパー（図示せず）のような外部と空気を遮断できる開閉手段を備えてもよいことは言うまでもない。
【００５３】
前記パウチ３１０は、側面に皮膚改善剤を注入するための注入口３１４が形成されている。前記注入口３１４には、開放を可能にするための粘着シート３１６が形成される。しかし、必要に応じて、使い捨てとして使用が便利になるように、切開して使用ができるように備えてもよいことは言うまでもない。
【００５４】
前記注入口３１４は、パウチ３１０の側面の中心から縁部３１２までの距離の２／３内に形成される。したがって、前記注入口３１４を介して皮膚改善剤が供給される場合、中心部位である鼻部分に皮膚改善剤の濃度が高くなる。なお、中心から皮膚改善剤が注入されることから、化粧シートのあらゆるところに均一に皮膚改善剤が拡散する。
【００５５】
なお、本実施例で前記注入手段３２０は、弾性パウチ３２２として設けられる。前記弾性パウチ３２２は、パウチ３１０のような合成樹脂材質で設けられて排出口３２４を引き裂いて排出口３２４を開放し、開放された排出口３２４を粘着シートがリリースされて開放された注入口に位置させ、弾性パウチ３２２の側面を押圧して皮膚改善剤が供給されるようにする。皮膚改善剤が前記注入口３１４を介して注入されると、粘着シート３１６を押圧して注入口３１４を閉鎖してから振って、皮膚改善剤が化粧シートに容易に含浸されるようにする。
【００５６】
前記パウチ３１０は、前記弾性パウチ３２２に紐３３０で連結される。前記紐３３０に結び目がついていることが好ましい。前記紐３３０に結び目がついている場合、販売台にかけて陳列できることから陳列が容易となる。
【符号の説明】
【００５７】
１１０、２１０、３１０  パウチ
１２０、２２０、３２０  注入手段
１２２  注射器
２２２  スポイト
３２２  弾性パウチ
【図１】
2018515303.tif 000003
【図２】
2018515303.tif 000004
【図３】
2018515303.tif 000005
【図４】
2018515303.tif 000006
【図５】
2018515303.tif 000007
【国際調査報告】
2018515303.tif 000008
2018515303.tif 000009
2018515303.tif 000010
2018515303.tif 000011